(57)【要約】【課題】床パンと浴槽底部とを近接させるようにした排水構造を提供する。【解決手段】床パン１に、上端に開口縁部３ｃを設けた浴槽用の排水トラップ２を接続し、床パン１上に設置される浴槽４の底部４ａに設けた排水口４ｂに、該排水トラップ２の上端開口３ａに連通し、下端部にネジ部６ｂを設けた排水筒６を装着し、排水筒６の下端ネジ部６ｂに対して螺合するネジ筒部７ａと、該ネジ筒部７ａの下端に連成され排水トラップ２の開口縁部３ｃと係合する外向鍔部７ｂとを備えた結合部材７により、排水筒６と排水トラップ２とを接続する。【選択図】図１
2006299720.tif 000002
【特許請求の範囲】
【請求項１】
床パンに、上端に開口縁部を設けた浴槽用の排水トラップを接続し、上記床パン上に設置される浴槽の底部に設けた排水口に、該排水トラップの上端開口に連通し、下端部にネジ部を設けた排水筒を装着し、
上記排水筒の下端ネジ部に対して螺合するネジ筒部と、該ネジ筒部の下端に連成され上記排水トラップの開口縁部と係合する外向鍔部とを備えた結合部材により、上記排水筒と上記排水トラップとを接続することを特徴とする浴槽の排水構造。
【請求項２】
請求項１において、
上記開口縁部と上記外向鍔部との間に止水パッキンを介在させたことを特徴とする浴槽の排水構造。
【請求項３】
請求項１または２において、
上記排水筒のネジ部が雌ネジであり、結合部材のネジ筒部が雄ネジであることを特徴とする浴槽の排水構造。
【発明の詳細な説明】
【技術分野】
【０００１】
本発明は、床パンに設置される浴槽の排水口を通じて排水トラップの開口に連通する排水構造の改良に関するものである。
【背景技術】
【０００２】
従来の床パンタイプの浴槽は、床パン上に設置される浴槽の排水口に設けた排水筒が、排水筒ナットとにより浴槽の排水口周縁部を挟着することにより固定され、床パンに接続した排水トラップの上端開口部と接続パッキンを介して密結される排水構造を有している。
【０００３】
次の特許文献には、排水筒ナットと接続パッキンを介して浴槽排水口と排水トラップとを連通させた排水構造が記載されている。
【特許文献１】特開２００２−３２２７０３号公報
【発明の開示】
【発明が解決しようとする課題】
【０００４】
ところで、洗い場から浴槽への跨ぎやすさと、浴槽のある程度の深さとを考慮した場合、床パンに対して浴槽底部が低い位置にあるもの、つまり床パンと浴槽底部とが接近したものが理想的である。
【０００５】
しかしながら、上記従来の排水構造では、排水筒を固着するために排水筒ナットを必要とするため、浴槽排水口と排水トラップとの間には、少なくとも排水筒ナットの高さ寸法のスペースと、さらに接続パッキンの厚みスペースが必要とされる。すなわち、排水筒の筒長さ、ひいては床パンと浴槽底部との間隔は、排水筒ナットと接続パッキンの寸法により制限され、そのため、床パンに対して浴槽を理想的な近接位置に設置することはできない。
【０００６】
本発明は、このような事情を考慮して提案されたもので、その目的は、床パンと浴槽底部とを近接させるようにした浴槽の排水構造を提供することにある。
【課題を解決するための手段】
【０００７】
上記目的を達成するために、請求項１に記載の浴槽の排水構造は、床パンに、上端に開口縁部を設けた浴槽用の排水トラップを接続し、床パン上に設置される浴槽の底部に設けた排水口に、該排水トラップの上端開口に連通し、下端部にネジ部を設けた排水筒を装着し、排水筒の下端ネジ部に対して螺合するネジ筒部と、該ネジ筒部の下端に連成され排水トラップの開口縁部と係合する外向鍔部とを備えた結合部材により、排水筒と排水トラップとを接続することを特徴とする。
【０００８】
請求項２では、開口縁部と上記外向鍔部との間に止水パッキンを介在させたことを特徴とする。
【０００９】
請求項３では、排水筒のネジ部が雌ネジであり、結合部材のネジ筒部が雄ネジであることを特徴とする。
【発明の効果】
【００１０】
請求項１に記載の排水構造は、排水筒と排水トラップとを接続するために結合部材を用い、排水トラップとは、その開口縁部と結合部材の外向鍔部とが係合し、排水筒とは、その下端ネジ部と結合部材のネジ筒部とが螺合する構造となっている。
【００１１】
すなわち、結合部材のネジ筒部は、排水トラップの開口から突出させた状態で、排水筒と重なり合って螺合接続する構成であるため、排水筒の筒部の長さはネジ部を形成するだけの寸法があればよく、排水筒の長さを短くすれば、結合部材の床パンと浴槽底部との間隔を近接させることができる。その結果、理想的な浴槽深さと跨ぎやすさを確保することができる。
【００１２】
請求項２によれば、排水トラップの開口縁部と外向鍔部との間に止水パッキンを介在させているため、結合部材の接続による水漏れを防止することができる。
【００１３】
請求項３によれば、排水筒のネジ部を雌ネジ、結合部材のネジ筒部を雄ネジにしているため、排水トラップの開口縁部をトラップ蓋などの別部材で構成すれば、螺合したときには、排水筒と結合部材とが結合されるとともに、排水筒の下端と結合部材の外向鍔部との間にトラップ蓋の開口片を挟着し、排水筒、結合部材およびトラップ蓋が一体化される。それにより、排水トラップへの浴槽取付作業がしやすくなる。
【発明を実施するための最良の形態】
【００１４】
以下に、本発明の実施の形態について、図面を参照しながら説明する。
【実施例１】
【００１５】
図１は、本発明の浴槽排水構造の１実施形態を示した要部縦断面図である。また図２は、浴槽の排水筒と排水トラップとを接続する結合部材の斜視図である。
【００１６】
浴槽４は床パン１上の載置台（不図示）に配置される。また、浴槽４の底部４ａに開口した排水口４ｂには、上端にフランジ片６ａ、下端にネジ部（雌ネジ部）６ｂを形成した排水筒６が装着される。また、排水筒６のフランジ片６ａと浴槽４の排水口周縁部４ｃとの間にパッキン部材８を介在させた構造となっている。そして、この排水筒６が、下方に配置された排水トラップ２の上端開口部２ｂへと通じる。なお、１１は使用者の手操作により開栓、閉栓がなされる排水栓、１１ａは開栓用の鎖を示している。
【００１７】
一方、排水トラップ２は、その上縁に形成されるフランジ片２ａと、排水トラップ２と螺合して固着する挟持部材５の外向フランジ片５ａとにより、床パン１の床パン開口片１ａに接続される。なお、床パン１の開口片１ａの口縁には止水パッキン９が取り付けられる。
【００１８】
排水トラップ２の上端開口部２ｂ付近の構造は、その上端開口部２ｂの上方に、上下に開口したトラップ蓋３が挟持部材５に嵌合された状態に設置され、そのトラップ蓋３の下開口３ｂは、上記挟持部材５の開口部５ｂに連通し、さらに下方の排水トラップ２に通じる構造となっている。
【００１９】
すなわち、浴槽４の排水口４ｂから流れ出る排水は、トラップ蓋３の上開口３ａ、下開口３ｂ、挟持部材５の開口部５ｂを通って、排水トラップ２へと流れる。
【００２０】
なお、Ａは臭気止め用の封水の液面を示しており、洗い場（不図示）側の排水口（不図示）下に設けたトラップ本体装置（不図示）によって、この液面Ａの位置が常時保たれるようになっている。
【００２１】
本発明では、浴槽４の排水口４ｂから排水トラップ２の開口２ｂまでを連通させて、かつ浴槽４と排水トラップ２とを結合させるために、ネジ筒部（雄ネジ部）７ａと該ネジ筒部７ａの下端に連成された外向鍔部７ｂとよりなる、排水筒６との螺合接続用の結合部材７を使用する。
【００２２】
すなわち、図１に示すように、結合部材７は、外向鍔部７ｂをトラップ蓋３の開口片３ｃに係合させた状態で、ネジ筒部７ａをトラップ蓋３の開口部３ａより上方に突出させ、そのネジ筒部７ａと排水筒６の下端ネジ部６ｂとを螺合させる構造となっている。
【００２３】
つまり、この結合部材７のネジ筒部７ａと排水筒６のネジ部６ｂとは螺合し、ネジ部どうしが重なり合うため、浴槽４と床パン１との間隔は、結合部材７のネジ筒部７ａの長さによらず排水筒６の筒長さのみにより制限を受けることとなる。
【００２４】
したがって、浴槽４を床パン１上の載置台に載せ置いた状態で、排水筒６のネジ部６ｂと結合部材７のネジ筒部６ｂとが螺合していると、排水筒６のフランジ片６ａは、パッキン８を介して浴槽４の排水口４ｂの周縁部４ｃに圧接し固定され、同時に、トラップ蓋３の内向鍔状の開口片３ｃと結合部材７の外向鍔部７ｂとは圧接し係合する。
【００２５】
つまり、下端ネジ部６ｂの縦長さを確保したうえで、筒長さをより短くした排水筒６を使用すれば、浴槽４と床パン１との間隔を小さくすることができる。その結果、浴槽４を理想的な深さにし、かつ跨ぎやすくすることができる。
【００２６】
また、トラップ蓋３の開口片３ｃと、結合部材７の外向鍔部７ｂとの間に止水パッキン１０を介在させており、それによりトラップ蓋３からの水漏れを防止することができる。
【００２７】
次に、取付手順の一例について説明する。
【００２８】
まず、挟持部材５を排水トラップ２の開口２ｂの所定位置に挿入し、挟持部材５と排水トラップ２とを螺合し、床パン１に対して完全に固定した状態にしておく。
【００２９】
一方、浴槽４は、床パン１上の所定位置に載置する前に、排水口４ｂに挿入した排水筒６と、その下端ネジ部６ｂと相互に螺合接続する結合部材７と、その螺合接続によって同時に連結されたトラップ蓋３とを一体化した状態にしておく。
【００３０】
つまり、排水口４ｂに排水筒６を挿入し、結合部材７の外向鍔部７ｂと開口片３ｃとの間に止水パッキン１０を装着し、結合部材７のネジ筒部７ａをトラップ蓋３の開口３ａから突出させた状態にしておき、浴槽４の底面側で、排水口４ｂから浴槽裏側に突き出た排水筒６の下端ネジ部６ｂと、トラップ蓋３の開口３ａから突き出たネジ筒部７ａとを螺合接続する。
【００３１】
この螺合により、排水筒６と結合部材７とが結合されるとともに、排水筒６の下端と結合部材７の外向鍔部７ｂとの間にトラップ蓋３の開口片３ｃが挟着され、排水筒６、結合部材７およびトラップ蓋３が一体化される。また、このとき外向鍔部７ｂと開口片３ｃとが止水パッキン１０を圧縮介在させた状態で互いに係合している。なお、このときはまだ、排水筒６のフランジ片６ａは排水口４ｂの周縁部４ｃに対して圧着された状態にはなっていない。
【００３２】
その後、その浴槽４を床パン１上の所定位置に載置し、排水筒６のフランジ片６ａと排水口周縁部４ｃとの間に止水パッキン８を介在させてから、排水筒６を浴槽４内から押し下げると、トラップ蓋３は下方に押し込まれて、挟持部材５の所定位置に嵌合される。挟持部材５の内周には円環状の突条５ｃが形成され、一方トラップ蓋３の外周には円周溝３ｄが形成され、上記所定位置での嵌合は、この突条５ｃと円周溝３ｄとが嵌合することで達成される。そして、嵌合したときに、排水筒６のフランジ片６ａが排水口４ｂの周縁部４ｃとが相互に圧接し、両者は相互に固定する。
【００３３】
なお、結合部材７は、トラップ蓋３に予め固着されたものであってもよい。また、結合部材７をトラップ蓋３に一体的に形成してもよい。ようするに、開口片３ｃからネジ筒部を突出させたトラップ蓋３を使用してもよい。
【００３４】
このように、結合部材７が予め排水トラップ２側に固着され、あるいは一体化されたものを使用すれば、排水トラップ２自体が固定された状態では、ネジ筒部も固定された状態となる。そのため、排水トラップ２と排水筒６との螺合接続作業はより簡単に行える。また、そのような場合には、本実施例とは逆に排水筒６側を雄ネジ、ネジ筒部７ａを雌ネジとしてもよい。
【図面の簡単な説明】
【００３５】
【図１】本発明の浴槽排水構造の一例を示す要部縦断面図
【図２】結合部材の斜視図
【符号の説明】
【００３６】
１      床パン
２      排水トラップ
２ｂ      開口部
３      トラップ蓋
３ａ      上開口
３ｂ      下開口
３ｃ      開口片（開口縁部）
４      浴槽
４ａ      浴槽底部
４ｂ      排水口
４ｃ      排水口周縁部
５      挟持部材
５ａ      外向フランジ片
６      排水筒
６ａ      フランジ片
６ｂ      下端ネジ部
７      結合部材
７ａ      ネジ筒部
７ｂ      外向鍔部
【図１】
2006299720.tif 000003
【図２】
2006299720.tif 000004